(57)【要約】  ラジオシステムにおける楽曲配信のためのライセンス契約が不要で、しかも、ラジオ放送の音声コンテンツを受信・再生しながら適時にユーザ好みの楽曲を再生可能とするラジオ用クライアント端末を提供する。ラジオ用クライアント端末（１２）の記憶部（４４）に予めユーザの好みにより記憶されている楽曲（Ａ、Ｂ）を、ラジオ放送の音声コンテンツ（Ａ）と音声コンテンツ（Ｂ）の再生の合間に、導入音声コンテンツ（Ｃｇ）による導入音声の出力後、再生するように構成する。
2015022797.tif 000002
【特許請求の範囲】
【請求項１】
外部よりラジオ放送の音声コンテンツを受信し、再生するラジオ用クライアント端末（１２、１２Ａ）であって、
前記音声コンテンツを受信する音声コンテンツ受信部（４２）と、
予め楽曲を記憶する楽曲記憶部（４４）と、
前記音声コンテンツ又は前記楽曲を選択し、再生する再生制御部（４６）と、を備え、
前記再生制御部（４６）は、前記音声コンテンツの再生の合間に、前記楽曲記憶部（４４）に予め記憶されている前記楽曲を選択し、再生する
ことを特徴とするラジオ用クライアント端末（１２、１２Ａ）。
【請求項２】
請求項１に記載のラジオ用クライアント端末（１２、１２Ａ）において、
前記再生制御部（４６）は、
前記外部に前記音声コンテンツの配信を要求し、要求した前記音声コンテンツの受信及び再生が終了したときに、前記楽曲記憶部（４４）に予め記憶されている前記楽曲を選択し、再生する
ことを特徴とするラジオ用クライアント端末（１２、１２Ａ）。
【請求項３】
請求項１又は２に記載のラジオ用クライアント端末（１２、１２Ａ）において、
前記再生制御部（４６）は、
前記外部より前記楽曲再生への導入音声コンテンツ（Ｃｇ）を受信し、前記導入音声コンテンツ（Ｃｇ）を再生した後に、前記楽曲記憶部（４４）に
予め記憶されている前記楽曲を選択し、再生する
ことを特徴とするラジオ用クライアント端末（１２、１２Ａ）。
【請求項４】
請求項１に記載のラジオ用クライアント端末（１２、１２Ａ）において、
前記再生制御部（４６）は、
前記音声コンテンツの受信ができないとき、前記楽曲記憶部（４４）に予め記憶されている前記楽曲を選択し、再生する
ことを特徴とするラジオ用クライアント端末（１２、１２Ａ）。
【請求項５】
請求項１、２及び４のいずれか１項に記載のラジオ用クライアント端末（１２、１２Ａ）において、
前記楽曲記憶部（４４）は、
さらに、前記楽曲再生への導入音声コンテンツ（Ｃｇ）を予め記憶するものであり、
前記再生制御部（４６）は、
前記音声コンテンツの受信ができないとき、前記楽曲記憶部（４４）から読み出した前記楽曲再生への前記導入音声コンテンツ（Ｃｇ）を再生し、その後に前記楽曲記憶部（４４）に予め記憶されている前記楽曲を選択し、再生する
ことを特徴とするラジオ用クライアント端末（１２、１２Ａ）。
【請求項６】
請求項１〜５のいずれか１項に記載のラジオ用クライアント端末（１２、１２Ａ）において、
前記楽曲記憶部（４４）に予め記憶されている前記楽曲の再生が終了すると、外部からの音声コンテンツの受信を再開する
ことを特徴とするラジオ用クライアント端末（１２、１２Ａ）。
【請求項７】
ラジオ放送の音声コンテンツを配信する配信サーバ（１０、１０Ａ）と、前記音声コンテンツを受信し、再生するラジオ用クライアント端末（１２、１２Ａ）からなるラジオシステム（１６）であって、
前記配信サーバ（１０、１０Ａ）は、
前記音声コンテンツを記憶する音声コンテンツ記憶部（３８）と、
前記音声コンテンツを前記ラジオ用クライアント端末（１２、１２Ａ）に配信する音声コンテンツ配信部（４０）と、を備え、
前記ラジオ用クライアント端末（１２、１２Ａ）は、
前記音声コンテンツを受信する音声コンテンツ受信部（４２）と、
予め楽曲を記憶する楽曲記憶部（４４）と、
前記音声コンテンツ又は前記楽曲を選択し、再生する再生制御部（４６）と、を備え、
前記再生制御部（４６）は、前記音声コンテンツの再生の合間に、前記楽曲記憶部（４４）に予め記憶されている前記楽曲を選択し、再生する
ことを特徴とするラジオシステム（１６）。
【請求項８】
請求項１〜６のいずれか１項に記載のラジオ用クライアント端末（１２、１２Ａ）を車載端末（１４）と接続し、前記音声コンテンツ又は前記楽曲を車載スピーカ（３２）で出力する
ことを特徴とする車両用ラジオシステム（１６）。
【発明の詳細な説明】
【技術分野】
【０００１】
この発明は、ラジオ放送の音声コンテンツを受信して再生するラジオ用クライアント端末と、前記音声コンテンツを配信する配信サーバと、からなるラジオシステムに適用して好適なラジオ用クライアント端末及びラジオシステムに関する。
【背景技術】
【０００２】
近時、インターネットを介してラジオ放送と同様の番組コンテンツを配信する配信サーバ（ラジオサーバともいう。）と、前記インターネットを通じて前記配信サーバから提供される前記番組コンテンツを受信するラジオ用クライアント端末（音楽再生装置）とからなるラジオシステムが実用に供されている（特開２００４−２６４３６０号公報の［００１６］、［００１７］）。【０００３】
このラジオシステムでは、前記インターネットに前記ラジオサーバの他に音楽配信サーバも接続されており、前記ラジオ用クライアント端末が、前記ラジオサーバから任意の楽曲を受信しているときに、前記ラジオ用クライアント端末にて所定の操作を行うことで、当該受信中の楽曲情報、換言すれば、前記ラジオサーバから配信中の楽曲情報が、前記ラジオサーバから前記ラジオ用クライアント端末宛に送信される。【０００４】
そして、前記ラジオ用クライアント端末において前記音楽配信サーバに対してダウンロードを要求する旨の操作がなされると、当該楽曲情報に従う楽曲（データ）が前記音楽配信サーバから前記ラジオ用クライアント端末にダウンロードされる（特開２００４−２６４３６０号公報の［要約］）。
【発明の概要】
【０００５】
上記従来技術に係るラジオシステムでは、ラジオサーバからラジオ放送で放送され、ユーザのラジオ用クライアント端末で再生された楽曲（データ）中、ユーザが所望する楽曲を、音楽配信サーバから前記ユーザのラジオ用クライアント端末にダウンロードすることができる。
【０００６】
しかしながら、上記従来技術に係るラジオシステムでは、楽曲を配信するためのライセンス契約が必要となり、コストが高くなるという課題がある。しかも、ラジオサーバからユーザの好みの楽曲が放送（配信）されない限り、音楽配信サーバから当該好みの楽曲をダウンロードすることができないという課題もある。さらにまた、上記従来技術に係るラジオシステムでは、ネットワークのトラブル発生時には、ラジオ用クライアント端末は、例えば、無音になってしまい、楽曲を再生することができない。
【０００７】
この発明はこのような種々の課題を悉く解決するためになされたものであり、ラジオシステムにおける楽曲配信のためのライセンス契約が不要で、その分コストダウンができ、しかも、ラジオ放送の音声コンテンツを受信・再生しながら適時にユーザ好みの楽曲を再生可能とし、さらに、必要に応じて、ネットワークのトラブル発生時にもユーザ好みの楽曲を継続的に再生することを可能とするラジオ用クライアント端末及びラジオシステムを提供することを目的とする。
【０００８】
この発明に係るラジオ用クライアント端末は、外部よりラジオ放送の音声コンテンツを受信し、再生するラジオ用クライアント端末であって、前記音声コンテンツを受信する音声コンテンツ受信部と、予め楽曲を記憶する楽曲記憶部と、前記音声コンテンツ又は前記楽曲を選択し、再生する再生制御部と、を備え、前記再生制御部は、前記音声コンテンツの再生の合間に、前記楽曲記憶部に予め記憶されている楽曲を選択し、再生する。
【０００９】
この発明によれば、当該ラジオ用クライアント端末の楽曲記憶部に予め記憶されている楽曲（１又は複数）を選択し、ラジオ放送の音声コンテンツ（１又は複数）と音声コンテンツ（１又は複数）の再生の合間に、選択した前記楽曲を再生するように構成したので、ラジオシステムにおける楽曲配信のためのライセンス契約が不要で、その分コストダウンができる。しかも、ラジオ放送の音声コンテンツを受信・再生しながら適時にユーザ好みの楽曲を再生可能である。
【００１０】
この場合、前記再生制御部は、前記外部に前記音声コンテンツの配信を要求し、要求した前記音声コンテンツの受信及び再生が終了したときに、前記楽曲記憶部に予め記憶されている楽曲を選択し、再生するようにすることで、ユーザは、ユーザの要求（好み）に応じた前記音声コンテンツの受信及び再生が終了したときに、必ず、ユーザ好みの楽曲を再生することができる。
【００１１】
また、前記再生制御部は、前記外部より前記楽曲再生への導入音声コンテンツを受信し、前記導入音声コンテンツを再生した後に、前記楽曲記憶部に予め記憶されている楽曲を選択し、再生するように構成することで、従来のラジオ放送と同様に、自然に違和感なくユーザ好みの楽曲を聞くことができる。
【００１２】
なお、前記再生制御部は、前記音声コンテンツの受信ができないとき、前記楽曲記憶部に予め記憶されている楽曲を選択し、再生することで、ネットワークのトラブル発生時にもユーザ好みの楽曲を継続的に確実に再生することができる。
【００１３】
また、前記楽曲記憶部は、さらに、前記楽曲再生への導入音声コンテンツを予め記憶するものであり、前記再生制御部は、前記音声コンテンツの受信ができないとき、前記楽曲記憶部から読み出した前記楽曲再生への導入音声コンテンツを再生し、その後に前記楽曲記憶部に予め記憶されている楽曲を選択し、再生するよう構成すると、ユーザは、ネットワークのトラブル発生時にも、自然に違和感なくユーザ好みの楽曲を聞くことができる。
【００１４】
前記楽曲記憶部に予め記憶されている前記楽曲の再生が終了すると、外部からの音声コンテンツの受信を再開するように構成することもできる。
【００１５】
この発明に係るラジオシステムは、ラジオ放送の音声コンテンツを配信する配信サーバと、前記音声コンテンツを受信し、再生するラジオ用クライアント端末からなるラジオシステムであって、前記配信サーバは、前記音声コンテンツを記憶する音声コンテンツ記憶部と、前記音声コンテンツを前記ラジオ用クライアント端末に配信する音声コンテンツ配信部と、を備え、前記ラジオ用クライアント端末は、前記音声コンテンツを受信する音声コンテンツ受信部と、予め楽曲を記憶する楽曲記憶部と、前記音声コンテンツ又は前記楽曲を選択し、再生する再生制御部と、を備え、前記再生制御部は、前記音声コンテンツの再生の合間に、前記楽曲記憶部に予め記憶されている楽曲を選択し、再生する。
【００１６】
この発明によれば、当該ラジオ用クライアント端末の楽曲記憶部に予め記憶されている楽曲を選択し、ラジオ放送の音声コンテンツの再生の合間に、再生するように構成したので、ラジオシステムにおける楽曲配信のためのライセンス契約が不要で、その分コストダウンできる。しかも、ラジオ放送の音声コンテンツを受信・再生しながら適時にユーザ好みの楽曲を再生可能で、且つネットワークのトラブル発生時にもユーザ好みの楽曲を継続的に再生することができるという効果が達成される。
【００１７】
上記したいずれかの発明に係るラジオ用クライアント端末を車載端末に接続し、前記音声コンテンツ又は前記楽曲を車載スピーカから出力する車両用ラジオシステムの構成とすると、車両の運転手等の乗員ユーザは、好みの楽曲を、一般には、ラジオ用クライアント端末に比較して、広い画面で且つクリアな音声で視聴することができる。
【００１８】
この発明によれば、当該ラジオ用クライアント端末の楽曲記憶部に予め記憶されている楽曲を選択し、ラジオ放送の音声コンテンツの再生の合間に、再生するように構成したので、ラジオシステムにおける楽曲配信のためのライセンス契約が不要で、その分コストダウンができるという効果が達成される。
【００１９】
すなわち、この発明によれば、楽曲配信のためのライセンス契約が不要となり、楽曲提供を低コストに実現できる。
【００２０】
しかも、ラジオ放送の音声コンテンツを受信・再生しながら適時にユーザ好みの楽曲を再生できる。
【００２１】
このようにして、この発明では、ユーザが普段から好んでいる楽曲がラジオ放送として仕立てられていく感覚を提供することができる。
【００２２】
なお、ユーザの必要性に応じて、ネットワークのトラブル発生時にもユーザ好みの楽曲を継続的に再生することもできる。
【図面の簡単な説明】
【００２３】
【図１】この発明の実施形態に係るラジオシステムの概略構成を示すブロック図である。
【図２】図１に示したラジオシステムの模式的な構成図である。
【図３】車両のダッシュボードに装着された車載端末等を示すインテリア模式図である。
【図４】導入音声コンテンツの選択表図である。
【図５】実施形態に係るラジオシステムの動作説明に供されるシーケンス図兼用フローチャートである。
【図６】クライアント端末（車載端末）のトップ画面を示す説明図である。
【図７】クライアント端末（車載端末）のストリーミング設定画面を示す説明図である。
【図８】クライアント端末（車載端末）の他のトップ画面を示す説明図である。
【図９】再生順番シーケンスを表すタイムチャートである。
【発明を実施するための形態】
【００２４】
以下、この発明に係るラジオ用クライアント端末及びラジオシステムについて好適な実施形態を挙げ、添付の図面を参照して詳細に説明する。
【００２５】
図１は、ラジオ放送の音声コンテンツを配信する配信サーバ１０と、前記音声コンテンツを受信して再生するこの実施形態に係るラジオ用クライアント端末（以下、単にクライアント端末ともいう。）１２と、クライアント端末１２に接続される車載端末１４と、からなるこの実施形態に係るラジオシステム１６の構成を示すブロック図である。
【００２６】
ここで、クライアント端末１２としては、この実施形態では、インターネットラジオアプリケーションをインストールしたスマートフォンを利用しているが、前記インターネットラジオアプリケーション（以下、単にアプリケーション又はアプリともいう。）をインストールしたインターネットラジオ専用品を使用することもできる。
【００２７】
図２は、ラジオシステム１６のより一般的な構成の模式的な構成図である。
【００２８】
図３は、車両１８のダッシュボード２０に装着されている直方体状の車載端末１４と、ダッシュボードトレイ２４上に運転者等のユーザにより置かれたクライアント端末１２等を示すインテリア模式図である。
【００２９】
図２に示すように、ラジオシステム１６は、配信サーバ１０、１０Ａに対して、ネットワークであるインターネット２６を介して、車両１８内にユーザにより持ち込まれたクライアント端末１２及び車両１８外でユーザに携帯されるクライアント端末１２Ａが接続される。このようにクライアント端末１２、１２Ａは、クライアント端末１２として車載端末１４に接続して利用することも可能であり、クライアント端末１２Ａとして車両１８外にて単独で利用することも可能である。もちろん、クライアント端末１２を車載端末１４に接続しないで車両１８内にて利用することも可能である。
【００３０】
以下、インターネット２６を介して接続される配信サーバ１０と、車両１８内に持ち込まれ車載端末１４に接続されたクライアント端末１２を例として説明する。
【００３１】
図２に示す車両１８内のクライアント端末１２に接続される車載表示・音声再生装置としての車載端末１４は、表示部である車載ディスプレイ３０を備えると共に、音声出力部としての車載スピーカ３２に接続される。なお、車載ディスプレイ３０は、タッチパネル方式の車載操作部３１としても兼用されている。
【００３２】
図３に示すように、車載ディスプレイ３０は、車載端末１４の筐体の正面部に配置され、車載スピーカ３２は、フロントドアの両サイドのキックパネル等に取り付けられる。この実施形態において、車両１８は、右ハンドル車であり、車載ディスプレイ３０は、水平方向に延びるダッシュボード２０の概ね中央位置に配置され、例えば、運転席３９に着座した運転者（不図示）のハンドル４１から離された左手の指先によりタッチ操作及びスライド操作・フリック操作等が可能になっている。なお、車載端末１４は、ディスプレイオーディオ装置等と称される。
【００３３】
図１に示したラジオシステム１６において、配信サーバ１０は、記憶装置である音声コンテンツを記憶する音声コンテンツ記憶部３８と、音声コンテンツ記憶部３８に記憶されているストリーミングデータである音声コンテンツをクライアント端末１２に配信する制御装置（コンピュータ）である音声コンテンツ配信部４０と、から構成される。
【００３４】
なお、音声コンテンツには、複数のいわゆる番組（プログラム）としての音声コンテンツ（音声コンテンツＣａという。）と、後述する導入音声としての導入音声コンテンツ（導入音声コンテンツＣｇという。）と、が記憶されている。音声コンテンツＣａと導入音声コンテンツＣｇを合わせて音声コンテンツＣｖという。
【００３５】
ここで、音声コンテンツ配信部４０は、ストリーミング配信機能と、音声コンテンツ管理機能とを有する。
【００３６】
一方、クライアント端末１２は、基本的には、インターネット２６を介して配信サーバ１０から送信される音声コンテンツＣｖ（音声コンテンツＣａ及び導入音声コンテンツＣｇ）を受信する音声コンテンツ受信部４２と、クライアント端末１２に予め楽曲（楽曲データ）Ｍｄを記憶する楽曲記憶部等として利用される記憶部４４と、前記音声コンテンツＣｖ（Ｃａ又はＣｇ）又は前記楽曲Ｍｄを選択して再生する制御装置（コンピュータ）としての再生制御部４６と、を備える。なお、クライアント端末１２の記憶部４４には、地図も記憶されており、クライアント端末１２は、図示しない内蔵のＧＰＳ装置（位置特定装置）と連係した地図表示機能も有している。
【００３７】
ここで、再生制御部４６には、音声コンテンツ受信部４２により受信したストリーミングデータの再生機能の他、記憶部４４に記憶されている楽曲Ｍｄ及び導入音声コンテンツＣｇの再生機能を有するインターネットラジオアプリケーション（いわゆるアプリ）が予めインストールされている。
【００３８】
このアプリにより、特に、再生制御部４６は、音声コンテンツＣａの再生の合間に、記憶部４４に予め記憶されている楽曲Ｍｄを選択して再生する。また、再生制御部４６は、配信サーバ１０から楽曲再生への導入音声コンテンツＣｇを受信し、導入音声コンテンツＣｇを再生した後に、記憶部４４に記憶されている楽曲Ｍｄを選択して再生する。さらに、再生制御部４６は、配信サーバ１０から音声コンテンツＣａの受信ができないとき、記憶部４４に予め記憶されている既定の導入音声コンテンツＣｇ及び楽曲Ｍｄを選択して再生する等の各種機能を有する。
【００３９】
図４は、配信サーバ１０の状態及び配信サーバ１０との通信状態（サーバ状態という。）と、楽曲Ｍｄへの導入音声｛導入音声コンテンツＣｇ（Ｃｇａ〜Ｃｇｄ）｝の対応関係を示す導入音声コンテンツ選択表図５５を示している。導入音声コンテンツＣｇ（Ｃｇａ〜Ｃｇｄ）を含む導入音声コンテンツ選択表図５５は、この実施形態では、配信サーバ１０から配信され記憶部４４（図４中、ローカル記憶部と説明している。）に記憶されるようにしているが、前記アプリから記憶部４４に予め記憶されるようにしてもよい。特に、導入音声コンテンツＣｇｂ、Ｃｇｃは、配信サーバ１０に接続されない場合を想定しているので、予め前記アプリから記憶されるようになっている。
【００４０】
導入音声コンテンツ選択表図５５中、サーバ状態の「通常」下での、導入音声コンテンツＣｇ（Ｃｇ＝Ｃｇａ）の内容は、例として「それでは、そろそろ曲に移りますね。２曲続けてどうぞ。」であり、この導入音声コンテンツＣｇａは、上述したように、配信サーバ１０の音声コンテンツ記憶部３８に予め記憶され、クライアント端末１２の記憶部４４（ローカル記憶部）に必要に応じて予め送信されて記憶される。
【００４１】
サーバ状態の「トラフィック負荷過大」下での、導入音声コンテンツＣｇ（Ｃｇ＝Ｃｇｂ）の内容は、例として「すみません。サーバが込み合っているようです。しばらくの間、曲をお楽しみ下さい。」であり、この導入音声コンテンツＣｇｂは、クライアント端末１２の記憶部４４に予め記憶される。
【００４２】
サーバ状態の「サーバトラブル／インターネットトラブル」下での、導入音声コンテンツＣｇ（Ｃｇ＝Ｃｇｃ）の内容は、例として「すみません。サーバに接続できないようです。しばらくの間、曲をお楽しみ下さい。」であり、この導入音声コンテンツＣｇｃは、クライアント端末１２の記憶部４４に予め記憶される。
【００４３】
サーバ状態の「音声コンテンツ不足」下での、導入音声コンテンツＣｇ（Ｃｇ＝Ｃｇｄ）の内容は、例として「本日のお話は以上です。引き続き、曲をお楽しみ下さい。明日も、お会いできるのを楽しみにしています。ＤＪ（（Ｄｉｓｋ  Ｊｏｃｋｅｙ））＊＊がお送りしました。」であり、この導入音声コンテンツＣｇｄは、配信サーバ１０の音声コンテンツ記憶部３８に予め記憶され、クライアント端末１２の記憶部４４に必要に応じて予め記憶される。
【００４４】
導入音声コンテンツＣｇは、いわゆるＤＪが発話する内容であり、前記アプリ中に複数人の音声で記憶され、後述するように、ＤＪ＊＊（＊＊は、名前）は、ユーザが選択することができるようになっている。
【００４５】
再び、図１において、クライアント端末１２は、さらに、再生制御部４６により制御されるタッチパネル等からなる操作部４８、表示部であるディスプレイ５０、音声出力部としてのスピーカ５２、及び近距離無線通信インタフェースであるｂｌｕｅｔｏｏｔｈ（登録商標）等の機能を有する通信インタフェース５４を備える。
【００４６】
車載端末１４は、再生制御部６０と、この再生制御部６０に接続される、クライアント端末１２の通信インタフェース５４と通信するための通信インタフェース６４と、上述した車載ディスプレイ３０及び車載操作部３１と、を備える。車載スピーカ３２は、再生制御部６０により再生（音出力）が制御される。なお、車載端末１４とクライアント端末１２との接続は、ＵＳＢ（Ｕｎｉｖｅｒｓａｌ  Ｓｅｒｉａｌ  Ｂｕｓ）やＨＤＭＩ（登録商標）を利用した有線接続であってもよい。
【００４７】
クライアント端末１２が通信インタフェース５４、６４を介して車載端末１４に接続されると、クライアント端末１２の再生制御部４６は、車載端末１４の再生制御部６０を中継ポイントとして、車載端末１４の車載操作部３１上の操作に対応して、車載ディスプレイ３０への表示、車載スピーカ３２での音声再生を実行する。
【００４８】
なお、この実施形態では、理解の便宜のために、クライアント端末１２の操作部４８及びディスプレイ５０と、車載端末１４の車載操作部３１及び車載ディスプレイ３０とは、同様の表示がなされ、例えば、図３に示すように、基本的には、画面の大半を占める中央部が、地図（クライアント端末１２が記憶部４４に保持する地図）や操作ガイドが表示される地図・操作画面（地図画面と操作画面）３０ａに割り当てられ、画面の下部は、再生状態とコンテンツの内容によって変化するアイコン（後述）等を表示するアイコン表示画面３０ｂに割り当てられ、画面の上部は、タイトル表示画面３０ｃに割り当てられる。
【００４９】
なお、車載端末１４は、クライアント端末１２の地図表示機能による地図も車載ディスプレイ３０上の地図・操作画面３０ａに表示することができるようになっている。実際上、クライアント端末１２の縦長のディスプレイ５０上に表示される画面が、９０゜回転されて横長の車載ディスプレイ３０上に画面表示されるが、煩雑となるのを回避するために、クライアント端末１２のディスプレイ５０上に表示される画面が、車載端末１４の車載ディスプレイ３０に画面表示されているものとして説明する。
【００５０】
基本的には以上のように構成されるこの実施形態に係るラジオシステム１６の動作について、次に、図５のシーケンス図兼用フローチャートを参照して説明する。
【００５１】
なお、クライアント端末１２（車載端末１４）側のフローチャートに係るプログラムの実行主体は、クライアント端末１２の再生制御部４６であり、配信サーバ１０側のフローチャートに係るプログラムの実行主体は、配信サーバ１０の音声コンテンツ配信部４０である。
【００５２】
ステップＳ１にて、再生制御部４６は、車載端末１４の車載操作部３１上の既定のタッチ操作によりインターネットラジオアプリケーションにログインされたことを検出すると、車載ディスプレイ３０上に、図６に示す、現在位置を中心とした地図・操作画面３０ａと、アイコン表示画面３０ｂと、タイトル表示画面３０ｃとからなるトップ画面３０Ｔを表示する。
【００５３】
ステップＳ１にて、このトップ画面３０Ｔ上のアイコン表示画面３０ｂ中に表示された音符アイコン７０にユーザがタッチしたことを検出すると、インターネットラジオが選択され、再生制御部４６は、図７に示すストリーミング設定画面３０Ｓを表示する。
【００５４】
ストリーミング設定画面３０Ｓ上には、「ＤＪ  ＶＯＩＣＥ」（ディスクジョッキーの声）の選択画面７４と、「ＲＡＤＩＯ  ＭＯＤＥ」（ラジオモード）の選択画面７２が表示されている。
【００５５】
「ＤＪ  ＶＯＩＣＥ」の選択画面７４では、ＤＪ  Ｘ氏の選択画面７４ａ、ＤＪ  Ｙ氏の選択画面７４ｂ、及びＤＪ  Ｚ氏の選択画面７４ｃの合計３人の選択画面７４ａ〜７４ｃが表示され、ステップＳ２にて、例えば、ＤＪ  Ｘ氏が選択されると、それが検出されて、強調表示がなされる。
【００５６】
また、「ＲＡＤＩＯ  ＭＯＤＥ」の選択画面７２には、この発明の要部に係る「ＭＵＳＩＣ＋ＲＡＤＩＯ」モード（ラジオ放送の音声コンテンツの再生の合間に楽曲を選択して再生するモード）の選択画面７２ａと、「ＯＮＬＹ  ＲＡＤＩＯ」モード（ラジオ放送の音声コンテンツのみを再生するモード）の選択画面７２ｂと、「ＯＮＬＹ  ＭＵＳＩＣ」モード（楽曲のみを選択して再生するモード）の選択画面７２ｃが、それらを示すアイコン６１、６２、６３と共に表示される。
【００５７】
「ＭＵＳＩＣ＋ＲＡＤＩＯ」モード（ラジオ放送の音声コンテンツの再生の合間に楽曲を選択して再生するモード）の選択画面７２ａのアイコン（楽曲・ラジオアイコンという。）６１には、楽曲を示す音符アイコンと音声コンテンツを示す吹き出しアイコンの両方が表示されている。
【００５８】
「ＯＮＬＹ  ＲＡＤＩＯ」モード（ラジオ放送の音声コンテンツのみを再生するモード）の選択画面７２ｂのアイコン（ラジオアイコンという。）６２には、音声コンテンツを示す吹き出しアイコンのみが表示されている。
【００５９】
「ＯＮＬＹ  ＭＵＳＩＣ」モード（楽曲のみを選択して再生するモード）の選択画面７２ｃのアイコン（楽曲アイコンという。）６３には、楽曲を示す音符アイコンのみが表示されている。
【００６０】
ステップＳ２にて、「ＭＵＳＩＣ＋ＲＡＤＩＯ」モード（ラジオ放送の音声コンテンツの再生の合間に楽曲を選択して再生するモード）の選択画面７２ａ又は同行の対応するアイコン６１にタッチされたことが検出されると、この車載操作部３１の操作に基づきステップＳ３にてストリーミング配信要求（音声コンテンツＣａのストリーミング配信要求）がなされる。このとき、図８に示すように、アイコン表示画面３０ｂに、楽曲・ラジオアイコン６１が表示された他のトップ画面３０Ｔが表示されると共に、クライアント端末１２の音声コンテンツ受信部４２からインターネット２６を介して配信サーバ１０の音声コンテンツ配信部４０に対して音声コンテンツＣａのストリーミング配信要求信号が送出される。
【００６１】
配信サーバ１０の音声コンテンツ配信部４０は、ステップＳ２１にて、音声コンテンツＣａのストリーミング要求があるか否かをストリーミング配信要求信号の受信・非受信により判定し、非受信（ステップＳ２１：ＮＯ）の場合には、受信有り（ステップＳ２１：ＹＥＳ）となるまで、ステップＳ２１を繰り返す。
【００６２】
ステップＳ２１にて、音声コンテンツ配信部４０が、音声コンテンツＣａのストリーミング配信要求信号を受信した（ステップＳ２１：ＹＥＳ）場合には、ステップＳ２２にて、音声コンテンツ記憶部３８から１つの音声コンテンツＣａ（１つの番組）を読み出し、ステップＳ２２で、ストリーミング配信要求信号を送信したクライアント端末１２に対し、インターネット２６を介してストリーミング配信を実行する。
【００６３】
ステップＳ２２にて、前記１つの音声コンテンツＣａ（１つの番組）のストリーミング配信が終了した場合、ステップＳ２１に戻り、ストリーミング配信要求信号の受信待機状態になる。
【００６４】
一方、クライアント端末１２は、ステップＳ４にて、配信サーバ１０との接続状態を監視することで、配信サーバ１０の状態（図４の選択表図５５のサーバ状態を参照）を監視し、音声コンテンツＣａのストリーミング受信が不可か否か、不可である場合には、サーバ状態（トラフィック負荷過大、サーバトラブル／インターネットトラブル、音声コンテンツ不足）を特定する。
【００６５】
ステップＳ４の判定にて、音声コンテンツＣａのストリーミング受信が不可でなかった（ステップＳ４：ＮＯ）場合、すなわちサーバ状態が「通常」の場合には、ステップＳ５にて、ステップＳ３にて配信要求した音声コンテンツＣａのストリーミング再生を実行する。
【００６６】
この場合、配信サーバ１０から配信される音声コンテンツＣａは、インターネット２６、音声コンテンツ受信部４２を通じて受信され、再生制御部４６、通信インタフェース５４、通信インタフェース６４、再生制御部６０、及び車載スピーカ３２を通じてストリーミング再生される。
【００６７】
ステップＳ６にて、受信している音声コンテンツのストリーミング再生が終了すると、ステップＳ７にて、再生制御部４６は、記憶部４４からサーバ状態が「通常」に係る楽曲への導入音声（導入音声コンテンツＣｇａ）「それでは、そろそろ曲に移りますね。２曲続けてどうぞ。」を読み出して、車載スピーカ３２を通じてアナウンスする。
【００６８】
アナウンスが終了したとき、再生制御部４６は、ステップＳ８にて、記憶部４４から予め決められた順序、あるいはランダムに２曲の楽曲を選択し、読み出して、車載スピーカ３２を通じて再生する。
【００６９】
再生後、実際には、２曲目の楽曲が終了する少し前の時点で、ステップＳ３にて、新たな音声コンテンツＣａのストリーミング配信要求を行う。
【００７０】
このようにして、基本的には、音声コンテンツＣａのストリーミング再生処理と、クライアント端末１２内の記憶部４４に記憶された楽曲の再生処理が繰り返される。
【００７１】
なお、ストリーミング配信に係る音声コンテンツの選択及び楽曲再生の繰り返し回数（頻度）は、ユーザによるオプション設定及び配信サーバ１０によるデフォルト設定より制御可能である。
【００７２】
一方、ステップＳ４にて、音声コンテンツＣａのストリーミング受信が不可であると判定した（ステップＳ４：ＹＥＳ）場合には、さらに、ステップＳ９にて、ステップＳ４の受信不可の判定が連続して２回以降となったか否かが判定される。
【００７３】
最初は、１回目なので、ステップＳ１０にて、再生制御部４６は、配信サーバ１０との交信の結果判明したサーバ状態（ステップＳ４とステップＳ２１）が、「トラフィック負荷過大サーバトラブル」か、「サーバトラブル／インターネット（ネットワーク）トラブル」か、「音声コンテンツ不足」かを判定し、判定結果に応じたシステムアナウンス、すなわち、導入音声（導入音声コンテンツＣｇｂ）「すみません。サーバが込み合っているようです。しばらくの間、曲をお楽しみ下さい。」か、導入音声（導入音声コンテンツＣｇｃ）「すみません。サーバに接続できないようです。しばらくの間、曲をお楽しみ下さい。」か、導入音声（導入音声コンテンツＣｇｄ）「本日のお話は以上です。引き続き、曲をお楽しみ下さい。明日も、お会いできるのを楽しみにしています。ＤＪ＊＊がお送りしました。」か、のいずれかを判定し、車載スピーカ３２を通じてアナウンスする。
【００７４】
このアナウンスが終了したとき、ステップＳ８にて、記憶部４４から予め決められた順序、あるいはランダムに２曲の楽曲を選択し、読み出して、車載スピーカ３２を通じて再生する。
【００７５】
再生後、ステップＳ３にて、新たな音声コンテンツＣａのストリーミング配信要求を行う。
【００７６】
ステップＳ４の判定が肯定的となり、ステップＳ９の連続２回目以降の判定が肯定的となった（ステップＳ９：ＹＥＳ）となったときにも、ステップＳ８でのクライアント内楽曲の再生を行う。
【００７７】
［実施形態のまとめ］
以上説明したように、この実施形態に係るラジオ用クライアント端末１２、１２Ａは、外部の配信サーバ１０、１０Ａよりラジオ放送の音声コンテンツを受信し、再生する。
【００７８】
ラジオ用クライアント端末１２、１２Ａは、前記音声コンテンツを受信する音声コンテンツ受信部４２と、ユーザ好みの楽曲を予め記憶する記憶部４４（楽曲記憶部）と、前記音声コンテンツ又は前記楽曲を選択して再生する再生制御部４６と、を備える。
【００７９】
再生制御部４６は、前記音声コンテンツの再生の合間に、記憶部４４に予め記憶されている前記楽曲を選択し、再生する。
【００８０】
このように、この実施形態に係るラジオ用クライアント端末１２、１２Ａは、例えば、図９の再生順番シーケンス１１１に示すように、当該ラジオ用クライアント端末１２、１２Ａの記憶部４４に、ユーザの好みにより予め記憶されている楽曲Ａ、Ｂ（１又は複数）を選択し、ラジオ放送の音声コンテンツＡと音声コンテンツＢの再生の合間に、導入音声コンテンツＣｇによる導入音声の再生後に選択した楽曲Ａ、Ｂを再生するように構成したので、ラジオシステム１６における楽曲配信のためのライセンス契約が不要で、その分コストダウンができる。しかも、ラジオ放送の音声コンテンツを受信・再生しながら適時にユーザ好みの楽曲を再生可能である。
【００８１】
図９の他の例の再生順番シーケンス１１２に示すように、複数の音声コンテンツＡ、Ｂを再生した後、導入音声コンテンツＣｇによる導入音声及び楽曲Ａを再生し、その後に音声コンテンツＣ、Ｄを再生するように構成することもこの発明に含まれる。
【００８２】
また、再生制御部４６は、外部の配信サーバ１０、１０Ａに前記音声コンテンツのストリーミング配信を要求し（ステップＳ３）、要求した前記音声コンテンツの受信及び再生が終了したとき（ステップＳ４：ＮＯ→Ｓ５→Ｓ６）に、導入音声コンテンツＣｇにより導入音声を出力（ステップＳ７）し、記憶部４４に予め記憶されている楽曲を選択し、再生する（ステップＳ８）ように構成したので、ユーザの要求（好み）に応じた前記音声コンテンツの受信及び再生が終了したときに、必ず、ユーザ好みの楽曲を再生することができる。
【００８３】
また、再生制御部４６は、外部の配信サーバ１０、１０Ａより前記楽曲再生への導入音声コンテンツＣｇを受信し、導入音声コンテンツＣｇを再生した（ステップＳ７）後に、記憶部４４に予め記憶されている楽曲を選択し、再生する（ステップＳ８）ように構成することで、ユーザは、従来のラジオ放送と同様に、自然に違和感なくユーザ好みの楽曲を聞くことができる。
【００８４】
なお、再生制御部４６は、前記音声コンテンツの受信ができないとき、記憶部４４に予め記憶されている楽曲を選択し、再生することで、ネットワークのトラブル発生時にもユーザ好みの楽曲を継続的に確実に再生することができる。
【００８５】
また、記憶部４４は、さらに、前記楽曲再生への導入音声コンテンツＣｇを予め記憶するものであり、再生制御部４６は、前記音声コンテンツの受信ができない（ステップＳ９：ＮＯ）とき、記憶部４４から読み出した前記楽曲再生への導入音声コンテンツＣｇｂ、Ｃｇｃ（図４参照）を再生し、その後に記憶部４４に予め記憶されている楽曲を選択し、再生するよう構成すると、ネットワークのトラブル発生時にも、自然に違和感なくユーザ好みの楽曲を聞くことができる。
【００８６】
記憶部４４に予め記憶されている前記楽曲の再生が終了すると、配信サーバ１０、１０Ａからの音声コンテンツの受信を再開する（ステップＳ８→ステップＳ３）ように構成することもできる。
【００８７】
また、この実施形態に係るラジオシステム１６は、ラジオ放送の音声コンテンツを配信する配信サーバ１０、１０Ａと、前記音声コンテンツを受信し、再生するラジオ用クライアント端末１２、１２Ａからなる。配信サーバ１０、１０Ａは、前記音声コンテンツを記憶する音声コンテンツ記憶部３８と、前記音声コンテンツをラジオ用クライアント端末１２、１２Ａに配信する音声コンテンツ配信部４０と、を備え、ラジオ用クライアント端末１２、１２Ａは、前記音声コンテンツを受信する音声コンテンツ受信部４２と、予め楽曲を記憶する記憶部４４と、前記音声コンテンツ又は前記楽曲を選択し、再生する再生制御部４６と、を備え、再生制御部４６は、前記音声コンテンツの再生の合間に、記憶部４４に予め記憶されている楽曲を選択し、再生する。
【００８８】
この実施形態に係るラジオシステム１６によれば、当該ラジオ用クライアント端末１２、１２Ａの記憶部４４に予め記憶されている楽曲を選択し、ラジオ放送の音声コンテンツの再生の合間に、再生するように構成したので、ラジオシステム１６における楽曲配信のためのライセンス契約が不要で、その分コストダウンできる。しかも、ラジオ放送の音声コンテンツを受信・再生しながら適時にユーザ好みの楽曲を再生可能で、且つネットワークのトラブル発生時にもユーザ好みの楽曲を継続的に再生することができるという効果が達成される。
【００８９】
上記したいずれかのラジオ用クライアント端末１２を車載端末１４と接続し、前記音声コンテンツ、前記導入音声又は前記楽曲を車載スピーカ３２で出力する車両用ラジオシステムの構成とすると、車両１８の運転手等のユーザ（乗員）は、好みの楽曲を、一般には、ラジオ用クライアント端末１２に比較してより広い画面で且つよりクリアな音声で視聴することができる。
【００９０】
なお、この発明は、上述の実施形態に限らず、この明細書の記載内容に基づき、種々の構成を採り得ることはもちろんである。
【図１】
2015022797.tif 000003
【図２】
2015022797.tif 000004
【図３】
2015022797.tif 000005
【図４】
2015022797.tif 000006
【図５】
2015022797.tif 000007
【図６】
2015022797.tif 000008
【図７】
2015022797.tif 000009
【図８】
2015022797.tif 000010
【図９】
2015022797.tif 000011
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
外部よりラジオ放送の音声コンテンツを受信し、再生するラジオ用クライアント端末（１２、１２Ａ）であって、
前記音声コンテンツを受信する音声コンテンツ受信部（４２）と、
予め楽曲と少なくとも１つの前記楽曲再生への導入音声コンテンツ（Ｃｇ）を記憶する楽曲記憶部（４４）と、
前記音声コンテンツ又は前記楽曲を選択し、再生する再生制御部（４６）と、を備え、
前記再生制御部（４６）は、前記音声コンテンツの再生の合間に、前記楽曲記憶部（４４）に予め記憶されている前記楽曲を選択し、再生するものであり、
さらに、前記再生制御部（４６）は、前記音声コンテンツの受信ができないとき、前記楽曲記憶部（４４）から読み出した前記楽曲再生への前記導入音声コンテンツ（Ｃｇ）を再生し、その後に前記楽曲記憶部（４４）に予め記憶されている前記楽曲を選択し、再生する
ことを特徴とするラジオ用クライアント端末（１２、１２Ａ）。
【請求項２】
請求項１に記載のラジオ用クライアント端末（１２、１２Ａ）において、
前記再生制御部（４６）は、
少なくとも１つの前記楽曲再生への前記導入音声コンテンツ（Ｃｇ）を前記外部より受信し、前記導入音声コンテンツ（Ｃｇ）を再生した後に、前記楽曲記憶部（４４）に予め記憶されている前記楽曲を選択し、再生する
ことを特徴とするラジオ用クライアント端末（１２、１２Ａ）。
【請求項３】
請求項１又は２に記載のラジオ用クライアント端末（１２、１２Ａ）において、
前記再生制御部（４６）は、
前記音声コンテンツの受信ができない理由に応じて、前記楽曲記憶部（４４）に記憶されている前記導入音声コンテンツ（Ｃｇ）を選択して再生し、前記導入音声コンテンツ（Ｃｇ）を再生した後に、前記楽曲記憶部（４４）に予め記憶されている前記楽曲を選択し、再生する
ことを特徴とするラジオ用クライアント端末（１２、１２Ａ）。
【請求項４】
請求項３に記載のラジオ用クライアント端末（１２、１２Ａ）において、
前記楽曲記憶部（４４）に記憶されている前記導入音声コンテンツ（Ｃｇ）の少なくとも１つは、前記音声コンテンツの不足を案内する内容である
ことを特徴とするラジオ用クライアント端末（１２、１２Ａ）。
【請求項５】
請求項１〜４のいずれか１項に記載のラジオ用クライアント端末（１２、１２Ａ）において、
前記再生制御部（４６）は、
前記外部に前記音声コンテンツの配信を要求し、要求した前記音声コンテンツの受信及び再生が終了したときに、前記楽曲記憶部（４４）に予め記憶されている前記楽曲を選択し、再生する
ことを特徴とするラジオ用クライアント端末（１２、１２Ａ）。
【請求項６】
請求項１〜５のいずれか１項に記載のラジオ用クライアント端末（１２、１２Ａ）において、
前記楽曲記憶部（４４）に予め記憶されている前記楽曲の再生が終了すると、外部からの音声コンテンツの受信を再開する
ことを特徴とするラジオ用クライアント端末（１２、１２Ａ）。
【請求項７】
ラジオ放送の音声コンテンツを配信する配信サーバ（１０、１０Ａ）と、前記音声コンテンツを受信し、再生するラジオ用クライアント端末（１２、１２Ａ）からなるラジオシステム（１６）であって、
前記配信サーバ（１０、１０Ａ）は、
前記音声コンテンツを記憶する音声コンテンツ記憶部（３８）と、
前記音声コンテンツを前記ラジオ用クライアント端末（１２、１２Ａ）に配信する音声コンテンツ配信部（４０）と、を備え、
前記ラジオ用クライアント端末（１２、１２Ａ）は、
前記音声コンテンツを受信する音声コンテンツ受信部（４２）と、
予め楽曲と少なくとも１つの前記楽曲再生への導入音声コンテンツ（Ｃｇ）を記憶する楽曲記憶部（４４）と、
前記音声コンテンツ又は前記楽曲を選択し、再生する再生制御部（４６）と、を備え、
前記再生制御部（４６）は、前記音声コンテンツの再生の合間に、前記楽曲記憶部（４４）に予め記憶されている前記楽曲を選択し、再生するものであり、
さらに、前記再生制御部（４６）は、前記音声コンテンツの受信ができないとき、前記楽曲記憶部（４４）から読み出した前記楽曲再生への前記導入音声コンテンツ（Ｃｇ）を再生し、その後に前記楽曲記憶部（４４）に予め記憶されている前記楽曲を選択し、再生する
ことを特徴とするラジオシステム（１６）。
【請求項８】
請求項１〜６のいずれか１項に記載のラジオ用クライアント端末（１２、１２Ａ）を車載端末（１４）と接続し、前記音声コンテンツ又は前記楽曲を車載スピーカ（３２）で出力する
ことを特徴とする車両用ラジオシステム（１６）。
【国際調査報告】
2015022797.tif 000012
2015022797.tif 000013